【手続補正書】
【提出日】平成25年4月12日(2013.4.12)
【手続補正１】
【補正対象書類名】明細書
【補正対象項目名】００７０
【補正方法】変更
【補正の内容】
【００７０】
本発明のいくつかの例示的な実施形態では、画像特徴を検出する間に、照明器５５を用いて１つ以上の画像特徴の一部分を照らす。その１つ以上の画像特徴の一部分の画像を画像読み取り装置で読み取る間に、照明器５５を用いてその一部分を照らすことができる。本発明のいくつかの例示的な実施形態では、形成された画像特徴と記録媒体１７の縁領域との間の差を強調するために記録媒体１７に向けて放射を発することができる放射源を、照明器５５は備える。反射された放射の量または方向の変化をセンサ５２で検出して、画像特徴の特定の部分を検出することができる。本発明のいくつかの例示的な実施形態では、照明器５５は、エミッタ／レシーバタイプのセンサのエミッタである。本発明のいくつかの例示的な実施形態では、照明器５５はＬＥＤ光源を備える。本発明のいくつかの例示的な実施形態では、照明器５５はストロボ光源を備える。いくつかの例示的な実施形態では、照明器５５はキャリッジ１８上に位置決めされている。いくつかの例示的な実施形態では、照明器５５は支持体２０上に位置決めされている。なお、以下に、付記として本発明の構成の一例を示す。
（付記１）
幾何学的な歪みを調整するために記録装置の較正を変化させる方法であって、
記録媒体を受けるための媒体支持体を設けるステップと、
前記媒体支持体上に第１の向きで前記記録媒体が置かれている間に、個別にアドレス指定が可能な複数の記録チャネルを備える記録ヘッドを、前記記録媒体上に第１の画像特徴を形成するように操作するステップと、
前記第１の向きとは異なる第２の向きで前記媒体支持体上に前記記録媒体が置かれている間に、前記記録媒体上に第２の画像特徴を形成するように前記記録ヘッドを操作するステップと、
前記第１の画像特徴と前記第２の画像特徴との間の予測される分離における変動を検出するステップと、
検出された前記変動に応じて画像化の修正を行うステップと、
を含むことを特徴とする方法。
（付記２）
付記１に記載の方法であって、前記画像化の修正を行うステップが、検出された前記変動に応じて前記記録チャネルの一部分の起動タイミングを調整することを含むことを特徴とする方法。
（付記３）
付記１に記載の方法であって、前記画像化の修正を行うステップが、経路に沿って前記記録ヘッドを移動させるようになされているキャリッジの移動を、検出された前記変動に応じて調整することを含むことを特徴とする方法。
（付記４）
付記３に記載の方法であって、前記キャリッジの前記移動を調整するステップが、前記キャリッジの速度を調整することを含むことを特徴とする方法。
（付記５）
付記１に記載の方法であって、前記媒体支持体上に前記記録媒体が置かれている間に前記変動を検出するステップを含むことを特徴とする方法。
（付記６）
付記１に記載の方法であって、前記第１の向きと前記第２の向きとのうちの一方で前記媒体支持体上に前記記録媒体が置かれている間に前記変動を検出するステップを含むことを特徴とする方法。
（付記７）
付記１に記載の方法であって、前記媒体支持体が位置合わせ機構を備え、前記媒体支持体上に前記第１の向きで前記記録媒体が置かれている間に前記位置合わせ機構の近くに前記記録媒体の第１の端部を位置決めするステップと、前記媒体支持体上に前記第２の向きで前記記録媒体が置かれている間に前記位置合わせ機構の近くに前記記録媒体の第２の端部を位置決めするステップとを前記方法が含み、前記第１の端部が前記第２の端部とは異なることを特徴とする方法。
（付記８）
付記７に記載の方法であって、前記第２の端部が前記第１の端部と交差するような位置関係にあることを特徴とする方法。
（付記９）
付記１に記載の方法であって、前記記録媒体上に前記第１の画像特徴を形成する間に、前記記録ヘッドと前記媒体支持体との間の、第１の方向に沿った相対移動を生じさせるステップと、前記記録媒体上に前記第２の画像特徴を形成する間に、前記記録ヘッドと前記媒体支持体との間の、第２の方向に沿った相対移動を生じさせるステップとを含み、前記第２の方向が前記第１の方向とは異なることを特徴とする方法。
（付記１０）
付記１に記載の方法であって、前記媒体支持体上での前記記録媒体の前記第２の向きが、前記媒体支持体上での前記記録媒体の前記第１の向きに対して前記記録媒体を回転したものに相当することを特徴とする方法。
（付記１１）
付記１に記載の方法であって、前記媒体支持体によって支持される前記記録媒体の表面に対して実質的に垂直な軸の周りに回転角度だけ前記記録媒体を回転させることによってもたらされる、前記媒体支持体上での前記記録媒体の前記第１の向きを変化させたものに、前記媒体支持体上での前記記録媒体の前記第２の向きが対応することを特徴とする方法。
（付記１２）
付記１１に記載の方法であって、前記回転角度が８５度〜９５度の範囲内であることを特徴とする方法。
（付記１３）
付記１に記載の方法であって、前記記録媒体の端部上にある間隔が離れた２点の場所を判断するステップと、間隔が離れた前記点について判断された前記場所に対し位置を揃えて、前記第１の画像特徴と前記第２の画像特徴とのそれぞれを形成するステップとを含むことを特徴とする方法。
（付記１４）
付記１に記載の方法であって、前記媒体支持体上に前記第１の向きで前記記録媒体を位置決めする前記ステップと、前記媒体支持体上に前記第２の向きで前記記録媒体を位置決めする前記ステップとの間に、前記媒体支持体から前記記録媒体を完全に引き離すステップを含むことを特徴とする方法。
（付記１５）
付記５に記載の方法であって、前記変動を検出する前に、前記記録媒体の画像化された部分と前記記録媒体の画像化されていない部分との間のコントラストを調整するステップを含むことを特徴とする方法。
（付記１６）
付記１に記載の方法であって、前記変動を検出するためのセンサを設けるステップを含むことを特徴とする方法。
（付記１７）
付記５に記載の方法であって、前記変動を検出するためのセンサを設けるステップを含むことを特徴とする方法。
（付記１８）
付記１７に記載の方法であって、前記センサが画像読み取り装置を備えることを特徴とする方法。
（付記１９）
付記１８に記載の方法であって、経路に沿って前記センサを移動させるように構成されたキャリッジを設けるステップを含むことを特徴とする方法。
（付記２０）
付記１９に記載の方法であって、前記経路に沿って前記記録ヘッドを移動させるように前記キャリッジが構成されていることを特徴とする方法。
（付記２１）
付記１８に記載の方法であって、前記変動が検出される間に前記第１の画像特徴と前記第２の画像特徴とを照らすための照明器を設けるステップを含むことを特徴とする方法。
（付記２２）
記録媒体を受けるようになされた筒状の表面を含む媒体支持体と、
個別にアドレス指定が可能な複数の記録チャネルを備える記録ヘッドと、
前記媒体支持体の回転軸に対する経路に沿って前記記録ヘッドを移動させるようになされたキャリッジと、
センサと、
前記筒状の表面上に第１の向きで前記記録媒体が置かれている間に、前記記録媒体上に第１の画像特徴を形成するように前記記録ヘッドを操作し、
前記第１の向きとは異なる第２の向きで前記筒状の表面上に前記記録媒体が置かれている間に、前記記録媒体上に第２の画像特徴を形成するように前記記録ヘッドを操作し、
前記第１の画像特徴と前記第２の画像特徴との間の予測される分離における変動を検出するように前記センサを操作し、かつ、
検出された前記変動に応じて画像化の修正を行うように構成された制御装置と、
を備えることを特徴とする記録装置。
（付記２３）
付記２２に記載の記録装置であって、前記キャリッジの移動と前記記録チャネルの一部分の起動タイミングとのうちの少なくとも一方を調整することによって前記画像化の修正を行うように、前記制御装置が構成されていることを特徴とする記録装置。
（付記２４）
付記２２に記載の記録装置であって、前記記録媒体の端部上の２点に対し位置を揃えて前記第１の画像特徴と前記第２の画像特徴とのそれぞれを形成するように、前記制御装置が構成されていることを特徴とする記録装置。
（付記２５）
付記２２に記載の記録装置であって、前記第１の画像特徴と前記第２の画像特徴とのそれぞれが細長い部分を含み、前記筒状の表面に付随する実質的な周方向に沿って前記細長い部分のそれぞれが延在するように前記筒状の表面上に前記記録媒体が置かれているときに、前記変動を検出するように前記センサが操作されることを特徴とする記録装置。
（付記２６）
付記２２に記載の記録装置であって、前記第１の画像特徴と前記第２の画像特徴とのそれぞれが細長い部分を含み、前記筒状の表面に付随する実質的な軸方向に沿って前記細長い部分のそれぞれが延在するように前記筒状の表面上に前記記録媒体が置かれているときに、前記変動を検出するように前記センサが操作されることを特徴とする記録装置。
（付記２７）
付記２２に記載の記録装置であって、前記筒状の表面上に前記第１の向きで置かれている前記記録媒体上に形成されたときに、前記筒状の表面に付随する実質的な軸方向に沿って延在する細長い部分を、前記第１の画像特徴が含み、かつ、前記筒状の表面上に前記第２の向きで置かれている前記記録媒体上に形成されたときに、前記筒状の表面に付随する実質的な周方向に沿って延在する細長い部分を、前記第２の画像特徴が含むことを特徴とする記録装置。
（付記２８）
付記２２に記載の記録装置であって、少なくとも１つの位置合わせ機構を前記媒体支持体が備え、第１の端部および前記第１の端部と交差するような位置関係にある第２の端部を前記記録媒体が含み、前記筒状の表面上に前記第１の向きで前記記録媒体が置かれている間に前記少なくとも１つの位置合わせ機構の近くに前記第１の端部が位置し、かつ、前記筒状の表面上に前記第２の向きで前記記録媒体が置かれている間に前記少なくとも１つの位置合わせ機構の近くに前記第２の端部が位置することを特徴とする記録装置。
（付記２９）
付記２２に記載の記録装置であって、前記センサを前記経路に沿って移動させるように前記キャリッジが構成されていることを特徴とする記録装置。
（付記３０）
付記２２に記載の記録装置であって、前記センサが画像読み取り装置を備えることを特徴とする記録装置。
（付記３１）
付記３０に記載の記録装置であって、前記変動が検出される間に前記記録媒体を照らすように構成された照明器を備えることを特徴とする記録装置。
【手続補正２】
【補正対象書類名】特許請求の範囲
【補正対象項目名】全文
【補正方法】変更
【補正の内容】
【特許請求の範囲】
【請求項１】
幾何学的な歪みを調整するために記録装置の較正を変化させる方法であって、
記録媒体を受けるための媒体支持体を設けるステップと、
前記媒体支持体上に第１の向きで前記記録媒体が置かれている間に、個別にアドレス指定が可能な複数の記録チャネルを備える記録ヘッドを、前記記録媒体上に第１の画像特徴を形成するように操作するステップと、
前記第１の向きとは異なる第２の向きで前記媒体支持体上に前記記録媒体が置かれている間に、前記記録媒体上に第２の画像特徴を形成するように前記記録ヘッドを操作するステップと、
前記第１の画像特徴と前記第２の画像特徴との間の予測される分離における変動を検出するステップと、
検出された前記変動に応じて画像化の修正を行うステップと、
を含むことを特徴とする方法。
【請求項２】
請求項１に記載の方法であって、前記画像化の修正を行うステップが、検出された前記変動に応じて前記記録チャネルの一部分の起動タイミングを調整することを含むことを特徴とする方法。
【請求項３】
請求項１に記載の方法であって、前記画像化の修正を行うステップが、経路に沿って前記記録ヘッドを移動させるようになされているキャリッジの移動を、検出された前記変動に応じて調整することを含むことを特徴とする方法。